(57)【要約】本発明は、ジッパーＤＭＴシステムでタイミングアドバーンスを決定する方法に関するものである。この方法によれば、まず遠隔送受信部が中央局送受信部からのトレーニング開始のための信号を受信すると、応答信号を受信信号のサンプル区間の終了時点より第１タイミングアドバーンスだけ先立って送信する。中央局送受信部が応答信号を受信すると、中央局送受信部における送信信号区間と受信信号区間の遅延サンプル数を計算し、遅延サンプル数と前記第１タイミングアドバーンスを考慮して第２タイミングアドバーンスを決定する。次に、第２タイミングアドバーンスを遠隔送受信部に伝送し、遠隔送受信部は応答信号を受信信号のサンプル区間の終了時点より第２タイミングアドバーンスだけ先立って送信する。
2005516531.tif 000002
【特許請求の範囲】
【請求項１】
伝送するサンプルを一時格納する第１送信バッファと、前記第１送信バッファの出力サンプルのシンボル内位置を示す第１送信サンプルカウント値を設定する第１送信サンプルカウンタと、受信したサンプルを一時格納する第１受信バッファと、前記第１受信バッファの入力サンプルのシンボル内位置を示す第１受信サンプルカウント値を設定する第１受信サンプルカウンタとからなり、前記第１送信サンプルカウント値に応じて前記第１送信バッファからサンプルを抽出して送信し、前記第１受信サンプルカウント値に応じて前記第１受信バッファからサンプルを抽出して受信する中央局送受信部と、
伝送するサンプルを一時格納する第２送信バッファと、前記第２送信バッファの出力サンプルのシンボル内位置を示す第２送信サンプルカウント値を設定する第２送信サンプルカウンタと、受信したサンプルを一時格納する第２受信バッファと、前記第２受信バッファの入力サンプルのシンボル内位置を示す第２受信サンプルカウント値を設定する第２受信サンプルカウンタとからなり、前記第２送信サンプルカウント値に応じて前記第２送信バッファからサンプルを抽出して送信し、前記第２受信サンプルカウント値に応じて前記第２受信バッファからサンプルを抽出して受信する遠隔送受信部とを含み、
前記遠隔送受信部は、前記第２送信サンプルカウント値を変更して前記遠隔送受信部のＵ２インタフェースで前記受信信号のサンプル区間の終了時点より第１タイミングアドバーンスだけ先立って信号を送信し、前記中央局送受信部から第２タイミングアドバーンスを受信すると、前記遠隔送受信部のＵ２インタフェースで受信信号のサンプル区間の終了時点より前記第２タイミングアドバーンスだけ先立って信号を送信し、
前記中央局送受信部は、前記中央局送受信部のＵ２インタフェースにおける前記送信信号区間と受信信号区間の遅延サンプル数を計算し、前記第１タイミングアドバーンスと前記遅延サンプルを考慮して前記第２タイミングアドバーンスを決定するジッパーディーエムティーシステム。
【請求項２】
前記中央局送受信部及び前記遠隔送受信部は、
サイクリックプレフィックスを（前記サイクリックプレフィックス＋前記第１タイミングアドバーンス−前記第２タイミングアドバーンス）に更新し、
サイクリックサフィックスを（前記サイクリックサフィックス−前記第１タイミングアドバーンス＋前記第２タイミングアドバーンス）に更新する請求項１記載のジッパーディーエムティーシステム。
【請求項３】
前記遠隔送受信部は、前記第２タイミングアドバーンを
【数１】
2005516531.tif 000009
（ここで、ＴＡは前記第２タイミングアドバーンス、ＴＡ０は前記第１タイミングアドバーンス、Δは前記遅延サンプル数、ＮＴはサンプルの長さ、ｍｏｄはモジュロ演算をそれぞれ示す）に決定し、
前記中央局送受信部は、前記遅延サンプル数を
【数２】
2005516531.tif 000010
（ここで、OTxSampleCntは第１送信サンプルカウント値、ΔＯＴＸは前記中央局送受信部の送信側から前記中央局送受信部のＵ２インタフェースまでのグループディレイ、ΔＯＲＸは前記中央局送受信部の受信側から前記中央局送受信部のＵ２インタフェースまでのグループディレイをそれぞれ示す）に決定する請求項１又は２記載のジッパーディーエムティーシステム。
【請求項４】
中央局送受信部及び遠隔送受信部がデータを交換するジッパーディーエムティーシステムにおいて、
前記遠隔送受信部が前記中央局送受信部からのトレーニング開始のための信号を受信すると、応答信号を前記遠隔送受信部のＵ２インタフェースで前記受信信号のサンプル区間の終了時点より第１タイミングアドバーンスだけ先立って送信する第１段階と、
前記中央局送受信部が前記応答信号を受信すると、前記中央局送受信部における送信信号区間と受信信号区間の遅延サンプル数を計算する第２段階と、
前記中央局送受信部が前記遅延サンプル数と前記第１タイミングアドバーンスを考慮して第２タイミングアドバーンスを決定する第３段階と、
前記遠隔送受信部が応答信号を前記遠隔送受信部のＵ２インタフェースで受信信号のサンプル区間の終了時点より前記第２タイミングアドバーンスだけ先立って送信する第５段階とを含むジッパーディーエムティーシステムにおけるタイミングアドバーンス決定方法。
【請求項５】
前記第５段階は、
サイクリックプレフィックスを（前記サイクリックプレフィックス＋前記第１タイミングアドバーンス−前記第２タイミングアドバーンス）に更新し、
サイクリックサフィックスを（前記サイクリックサフィックス−前記第１タイミングアドバーンス＋前記第２タイミングアドバーンス）に更新する段階をさらに含む請求項４記載のタイミングアドバーンス決定方法。
【請求項６】
前記第２段階は、
遅延サンプル数を、送信サンプルのシンボル内位置を示す送信サンプルカウント値より、前記中央局送信部の送信側から中央部送受信部のＵ２インタフェースまでのグループディレイ及び前記中央局送受信部の受信側から中央局送受信部のＵ２インタフェースまでのグループディレイを差し引いた値に決定する請求項４又は５記載のタイミングアドバーンス決定方法。
【請求項７】
前記第３段階は、
第２タイミングアドバーンスを
【数３】
2005516531.tif 000011
（ここで、ＴＡは前記第２タイミングアドバーンス、ＴＡ０は前記第１タイミングアドバーンス、Δは前記遅延サンプル数、ＮＴはサンプルの長さ、ｍｏｄはモジュロ演算をそれぞれ示す）に決定する請求項４又は５記載のタイミングアドバーンス決定方法。
【発明の詳細な説明】
【技術分野】
【０００１】
本発明は、ジッパー(Zipper)ディーエムティー(discrete multi-tone、以下「ＤＭＴ」という)システムでタイミングアドバーンスを決定する方法に関するものである。
【背景技術】
【０００２】
最近、通信ネットワークを介したマルチメディアサービス供給に対する需要が増加し、このような需要を満足させるために増幅器又は中継器なしで既存の銅電話線を用いて数百ｋｂｐｓ〜数十Ｍｂｐｓのデータ伝送速度を提供するためのｘＤＳＬ(digital subscriber line)方式が開発された。
【０００３】
ｘＤＳＬは、ＨＤＳＬ(high-data-rate DSL)、ＳＤＳＬ(single-line HDSL)、ＡＤＳＬ(asymmetry DSL)、ＵＡＤＳＬ(universal ADSL)、ＶＤＳＬ(very-high-bit-rate DSL)などの様々な形で発展してきた。特に、ＶＤＳＬは３００〜１,５００ｍの短距離からデータを高速で伝送するために開発された。
【０００４】
このようなｘＤＳＬに用いられる変復調方式には、ＳＣＭ(single-carrier modulation)方式のＣＡＰ(carrierless AM/PM)方式及びＱＡＭ(quadrature amplitude modulation)方式と、ＭＣＭ(multi-carrier modulation)方式のＤＭＴ(discrete multi-tone)方式などがある。
【０００５】
この中でも、ＤＭＴ方式は、全体伝送帯域を多数の狭帯域副チャネルに分割して伝送することにより、各副チャネルにおける伝送周期が副チャネルの数だけ増加して簡単な単一タップ等化器でチャネル歪みの補償が可能である。また、ＤＭＴシンボルに保護区間としてサイクリックプレフィックス(cyclic prefix)を追加することにより、副チャネル間の直交性を保ってシンボル間の干渉を除去することができるため、受信端における等化器の構造が簡単になる。また、変復調過程はそれぞれＩＦＦＴ(inverse fast Fourier transform)とＦＦＴ(fast Fourier transform)を用いて高速で実現することができる。
【０００６】
このようなＤＭＴシステムの最大性能低下の要因としては、近端漏話(near end cross-talk)信号とエコー(echo)信号を挙げることができる。近端漏話信号はそれぞれ異なる２つの送信端から同時にデータを伝送する場合に発生するノイズであって、同じバインダーグループ内で同周波数帯域のデータを両方向に同時に伝送するときに発生する。エコー信号は、同じ端の送信側からデータを伝送する場合に受信する信号に影響を与えるノイズである。
【０００７】
ジッパーＤＭＴ方式は、このような近端漏話信号及びエコー信号を防止するために開発された方式であって、サイクリックプレフィックスの他にサイクリックサフィックス(cyclic suffix)を信号の端の部分に追加して使用する。近端漏話信号及びエコー信号の干渉を最小化するためには、各周波数間の直交性(orthogonality)を保たなければならない。従って、ジッパーＤＭＴ方式は、周波数間の直交性を保障するために、各ネットワーク終端の受信信号のシンボル区間内に近端漏話信号及びエコー信号も一つのシンボルのみ含まれるようにサイクリックサフィックスを原信号に追加して伝送する。
【０００８】
また、ジッパーＤＭＴは、Ｕ２インタフェースを基準としたとき、中央局送受信部と遠隔送受信部が信号を同時に伝送するようにするために、遠隔送受信部のＵ２インタフェースで受信信号のシンボル区間の開始時点よりタイミングアドバーンスだけ先立って信号を送信する。従来の技術では、サイクリックサフィックスのサンプル数をタイミングアドバーンスのサンプル数より長くして近端漏話及びエコーの影響を除去した。
【０００９】
また、従来の技術では、このようなタイミングアドバーンスをチャネルの衝撃応答又は伝達関数から決定した。このような方法でタイミングアドバーンスを決定するためには、チャネルの衝撃応答及び伝達関数の推定過程が必要とされる。
【発明の開示】
【発明が解決しようとする課題】
【００１０】
本発明は、Ｕ２インタフェースを基準として中央局送受信部と遠隔送受信部で信号を同時に送受信するようにすることを技術的課題とする。
また、本発明は、最小長さのサイクリックサフィックスのみを用いて近端漏話信号及びエコー信号を除去することを技術的課題とする。
また、本発明は、チャネルのグループディレイを測定してタイミングアドバーンスを決定することを技術的課題とする。
【課題を解決するための手段】
【００１１】
上記課題は、グループディレイを測定してタイミングアドバーンスを決定することにより達成される。
本発明の一特徴によれば、中央局送受信部及び遠隔送受信部を含むジッパーＤＭＴシステムが提供される。中央局送受信部は第１送信バッファ、第１送信サンプルカウンタ、第１受信バッファ及び第１受信サンプルカウンタを含み、第１送信バッファは伝送するサンプルを一時格納し、第１送信サンプルカウンタは第１送信バッファの出力サンプルのシンボル内位置を示す第１送信サンプルカウント値を設定し、第１受信バッファは受信したサンプルを一時格納し、第１受信サンプルカウンタは第１受信バッファの入力サンプルのシンボル内位置を示す第１受信サンプルカウント値を設定する。遠隔送受信部は第２送信バッファ、第２送信サンプルカウンタ、第２受信バッファ及び第２受信サンプルカウンタを含み、第２送信バッファは伝送するサンプルを一時格納し、第２送信サンプルカウンタは第２送信バッファの出力サンプルのシンボル内位置を示す第２送信サンプルカウント値を設定し、第２受信バッファは受信したサンプルを一時格納し、第２受信サンプルカウンタは第２受信バッファの入力サンプルのシンボル内位置を示す第２受信サンプルカウント値を設定する。
【００１２】
この際、遠隔送受信部は、第２送信サンプルカウント値を変更して遠隔送受信部のＵ２インタフェースで受信信号のサンプル区間の終了時点より第１タイミングアドバーンスだけ先立って信号を送信し、中央局送受信部から第２タイミングアドバーンスを受信すると、遠隔送受信部のＵ２インタフェースで受信信号のサンプル区間の終了時点より第２タイミングアドバーンスだけ先立って信号を送信する。中央局送受信部は、中央局送受信部のＵ２インタフェースにおける送信信号区間と受信信号区間の遅延サンプル数を計算し、第１タイミングアドバーンスと遅延サンプルを考慮して第２タイミングアドバーンスを決定する。
【００１３】
この際、中央局送受信部及び遠隔送受信部は、サイクリックプレフィックス及びサイクリックサフィックスを更新することが好ましく、更新されたサイクリックプレフィックスは（サイクリックプレフィックス＋第１タイミングアドバーンス−第２タイミングアドバーンス）となり、更新されたサイクリックサフィックスは（サイクリックサフィックス−第１タイミングアドバーンス＋第２タイミングアドバーンス）となる。
【００１４】
本発明の他の特徴によれば、このようなシステムでタイミングアドバーンスを決定する方法が提供される。この方法によれば、まず遠隔送受信部が中央局送受信部からのトレーニング開始のための信号を受信すると、遠隔送受信部のＵ２インタフェースで応答信号を受信信号のサンプル区間の終了時点より第１タイミングアドバーンスだけ先立って送信する。中央局送受信部が応答信号を受信すると、中央局送受信部における送信信号区間と受信信号区間の遅延サンプル数を計算し、遅延サンプル数と第１タイミングアドバーンスを考慮して第２タイミングアドバーンスを決定する。次に、第２タイミングアドバーンスを遠隔送受信部に伝送し、遠隔送受信部は応答信号を遠隔送受信部のＵ２インタフェースで受信信号のサンプル区間の終了時点より第２タイミングアドバーンスだけ先立って送信する。
【００１５】
この際、サイクリックプレフィックスを（サイクリックプレフィックス＋第１タイミングアドバーンス−第２タイミングアドバーンス）に更新し、サイクリックサフィックスを（サイクリックサフィックス−第１タイミングアドバーンス＋第２タイミングアドバーンス）に更新することが好ましい。
【００１６】
この際、遅延サンプル数は、送信サンプルのシンボル内位置を示す送信サンプルカウント値より、中央局送信部の送信側から中央部送受信部のＵ２インタフェースまでのグループディレイ及び中央局送受信部の受信側から中央局送受信部のＵ２インタフェースまでのグループディレイを差し引いた値に決定することが好ましい。
【００１７】
また、第２タイミングアドバーンスは次式に決定することが好ましい。
【００１８】
【数１】
2005516531.tif 000003
【００１９】
ここで、ＴＡは前記第２タイミングアドバーンス、ＴＡ０は前記第１タイミングアドバーンス、Δは前記遅延サンプル数、ＮＴはサンプルの長さ、ｍｏｄはモジュロ(modulo)演算である。
【発明を実施するための最良の形態】
【００２０】
以下、添付図面を参照して本発明の実施例について、本発明の属する技術分野で通常の知識を有する者が容易に実施し得るように詳細に説明する。ところが、本発明は、様々な形で実現することができ、下記の実施例に限定されるものではない。
まず、本発明の実施例に係るタイミングアドバーンスを決定するジッパーＤＭＴシステム及びこのシステムにおけるタイミングアドバーンス決定方法について図面を参照して詳細に説明する。
【００２１】
本発明で説明するＯ−ＳＩＧＮＡＴＵＲＥ、Ｒ−ＭＳＧ１、Ｒ−ＡＣＫ、Ｏ−ＵＰＤＡＴＥ、Ｒ−ＩＤＬＥメッセージに対する詳細は、Ｔ１Ｅ１.４ＶＤＳＬの勧告案（VDSL Metallic Interface, Part 3:Technical Specification of a Multi-Carrier Modulation Transceiver）に説明されている。
【００２２】
図１及び図２を参照して本発明の一実施例に係るジッパーＤＭＴ送受信システムについて説明する。
図１は本発明の一実施例に係るジッパーＤＭＴ送受信システムを示すブロック図である。図２は本発明の一実施例に係るジッパーＤＭＴ送受信システムで使用する一シンボルのサンプル数を示す図である。
【００２３】
図１に示すように、本発明の一実施例に係るジッパーＤＭＴ送受信システムは、中央局(optical network unit)送受信部１００及び遠隔(remote site)送受信部２００を含み、これらの送受信部１００、２００はチャネル３００を介してそれぞれのＵ２インタフェース４００、５００に連結されている。このようなチャネルとしては一般にＵＴＰ(unshielded twisted pair)ケーブルが使用される。
【００２４】
送受信部１００、２００は、デジタル信号をＵ２インタフェース４００、５００における物理階層信号に変換し、或いは逆に物理階層信号をデジタル信号に変換し、それぞれ送信部１１０、２１０、送信バッファ１２０、２２０、送信サンプルカウンタ１３０、２３０、受信部１４０、２４０、受信バッファ１５０、２５０、受信サンプルカウンタ１６０、２６０及びアナログフロントエンド(analog front end,ＡＦＥ)１７０、２７０を含む。
【００２５】
送信部１１０、２１０は送信制御部(Tx front-end controller)１１１、２１１を含む。送信制御部１１１、２１１は、送信部１１０、２１０で逆高速フーリエ変換(inverse fast Fourier transform,ＩＦＦＴ)されたデータを送信バッファ１２０、２２０に一時格納し、送信サンプルカウンタ１３０、２３０のカウントに応じて送信バッファ１２０、２２０からデータを抽出してアナログフロントエンド１７０、２７０に伝達する。また、送信制御部１１１、２１１は送信サンプルカウンタ１３０、２３０のカウント値を調整する。
【００２６】
受信部１４０、２４０は受信制御部(Rx front-end controller)１４１、２４１を含む。受信制御部１４１、２４１は、アナログフロントエンド１７０、２７０からのデータを受信バッファ１５０、２５０に一時格納し、受信サンプルカウンタ１６０、２６０のカウントに応じて受信バッファ１５０、２５０からデータを抽出し、これを受信部１４０、２４０内の高速フーリエ変換(fast Fourier transform,ＦＦＴ)部（図示せず）に伝達する。また、受信制御部１４１、２４１は受信サンプルカウンタ１６０、２６０のカウント値を調整する。
【００２７】
アナログフロントエンド１７０、２７０は、送信部１１０、２１０からのデジタル信号を物理階層信号（アナログ信号）に変換してＵ２インタフェース４００、５００を介してそれぞれ遠隔送受信部２００及び中央局送受信部１００に伝送するとともに、それぞれＵ２インタフェース４００、５００を介して遠隔送受信部２００及び中央局送受信部１００から受信された物理階層信号をデジタル信号に変換して受信部１４０、２４０に伝達する。
【００２８】
そして、図２に示すように、シンボルトーンの個数をＮＳＣとすれば、ジッパーＤＭＴのシンボルはＬＣＰ個のサイクリックプレフィックスサンプルと２ＮＮＣのサンプルとＬＣＳ個のサイクリックサフィックスサンプルとからなる。すなわち、一つのシンボルのサンプル数（ＮＴ）は次式（１）で表わされる。
【００２９】
【数２】
2005516531.tif 000004
【００３０】
送信サンプルカウンタ１３０、２３０のカウント値である送信サンプルカウント値（OTxSampleCnt、RTxSampleCnt）は、送信バッファ１２０、２２０の出力サンプルのシンボル内位置を示し、これは０〜ＮＴ−１の値を有する。Ｕ２インタフェース４００、５００における送信サンプルカウント値（OTxSampleCntAtU2、RTxSampleCntAtU2）はＵ２インタフェース４００、５００の送信サンプルのシンボル内位置を示し、これは送信サンプルカウント値（OTxSampleCnt、RTxSampleCnt）で送信バッファ１２０、２２０の出力からＵ２インタフェース４００、５００までのグループディレイ（ΔＯＴＸ、ΔＲＴＸ）を考慮した値であって、次式（２）で表わされる。
【００３１】
【数３】
2005516531.tif 000005
【００３２】
同様に、受信サンプルカウンタ１６０、２６０のカウント値である受信サンプルカウント値（ORxSampleCnt、RRxSampleCnt）は、受信バッファ１５０、２５０の入力サンプルのシンボル内位置を示し、これは０〜ＮＴ−１の値を有する。Ｕ２インタフェース４００、５００における受信サンプルカウント値（ORxSampleCntAtU2、RRxSampleCntAtU2）はＵ２インタフェース４００、５００の受信サンプルのシンボル内位置を示し、これは受信サンプルカウント値（ORxSampleCnt、RRxSampleCnt）で受信バッファ１２０、２２０の入力からＵ２インタフェース４００、５００までのグループディレイ（ΔＯＲＸ、ΔＲＲＸ）を考慮した値であって、次式（３）で表わされる。
【００３３】
【数４】
2005516531.tif 000006
【００３４】
一般に、このようなジッパーＤＭＴシステムでデータを伝送するためにはまず初期化(initialization)段階が行われなければならない。このような初期化段階は起動（ハンドシェイク）(activation:handshake)段階、トレーニング(training)段階、そしてチャネル分析及び交換(channel analysis & exchange)段階からなる。起動（ハンドシェイク）段階は送受信端間に信号を伝送する準備が出来たか否かを確認する段階であり、トレーニング段階はシンボル同期化及び等化器トレーニング(equalizer training)を行う段階であり、チャネル分析及び校間段階は各副チャネル毎の信号対雑音比（ＳＮＲ）を測定して、それぞれに合うビットローディング(bit loading)情報を有するビットテーブルを生成し、この際決定された各種のパラメータを送受信端間に交換する段階である。
この際、トレーニング段階でタイミングアドバーンスの決定が行われる。
【００３５】
以下、図３ａ〜図３ｃを参照して本発明の一実施例に係るタイミングアドバーンス決定方法について説明する。
図３ａ乃至図３ｃは本発明の一実施例に係るタイミングアドバーンス測定方法を示す時間図である。
【００３６】
トレーニング段階でまずトレーニング段階の初期化を行った後、中央局送受信部１００は、Ｏ−ＳＩＧＮＡＴＵＲＥメッセージを遠隔送受信部２００に繰り返し送信し、遠隔送受信部２００からＲ−ＭＳＧ１メッセージを受信するまで繰返し行う（Ｓ３０１）。このようなＯ−ＳＩＧＮＡＴＵＲＥメッセージには使用するバンド、ＲＦＩバンド、ＰＳＤなどのフィールドが含まれるが、これらはデータ伝送に必要な基本値の設定に使用される。遠隔送受信部２００はシンボル同期を完了し、等化器の収斂を開始する（Ｓ３０２）。
【００３７】
遠隔送受信部２００が等化器の収斂を完了したならば、Ｏ−ＳＩＧＮＡＴＵＲＥメッセージを受信し、送信制御部２１１はＯ−ＳＩＧＮＡＴＵＲＥメッセージの受信を開始するときの遠隔送受信部２００の伝送サンプルカウント(RTxSampleCnt)をＮＴ−ＴＡ０＋ΔＲＴＸ＋ΔＲＲＸに設定する（Ｓ３０３）。この際、Ｕ２−Ｒインタフェースにおけるサンプルカウント(RTxSampleCntAtU2)はチャネルディレイを考慮してＮＴ−ＴＡ０＋ΔＲＲＸとなる。
【００３８】
次に、遠隔送受信部２００は、Ｏ−ＳＩＧＮＡＴＵＲＥメッセージを受信したという確認メッセージＲ−ＭＳＧ１を中央局送受信部１００に繰り返し送信するが、伝送サンプルカウント(RTxSampleCnt)が０になるとき、送信を開始する（Ｓ３０４）。すると、伝送サンプルカウント(RTxSampleCnt)がΔＲＴＸになると、Ｕ２−Ｒインタフェースにおけるサンプルカウントが０になり、すなわちＵ２−ＲインタフェースからのＲ−ＭＳＧ１の送信が始まる。すると、Ｕ２−Ｒインタフェースでは受信メッセージより送信メッセージがＴＡ０だけ先立って送信される。
【００３９】
次に、中央局送受信部１００でシンボル同期を完了すると、等化器を収斂し始め、Ｕ２−Ｏインタフェースにおける送信信号と受信信号とのサンプル数の差（Δ）を
【数５】
2005516531.tif 000007
と設定する（Ｓ３０５）。中央局送受信部１００は、等化器の収斂が完了すると、Ｒ−ＭＳＧ１メッセージを受信し（Ｓ３０６）、Ｒ−ＭＳＧ１のサンプル区間が完了する前にＯ−ＵＰＤＡＴＥメッセージを送信する（Ｓ３０７）。この際、Ｏ−ＵＰＤＡＴＥメッセージは、Ｒ−ＭＳＧ１メッセージを受信し、伝送サンプルカウント(OTxSampleCnt)が０になるときに送信する。このようなＯ−ＵＰＤＡＴＥメッセージは、タイミングアドバーンスの補正値が記録されるフィールドを含み、このフィールドに補正されたタイミングアドバーンスを記録して送信する。このような補正されたタイミングアドバーンスは次式（４）で与えられる。
【００４０】
【数６】
2005516531.tif 000008
【００４１】
ここで、ＴＡは補正されたタイミングアドバーンス、ＴＡ０は以前タイミングアドバーンス、ＮＴはサンプルの長さ、ｍｏｄはモジュロ演算をそれぞれ示す。
【００４２】
遠隔送受信部２００は、Ｏ−ＵＰＤＡＴＥメッセージを受信すると、これに含まれたＴＡを格納する（３０８）。その後、これを受信したという確認メッセージＲ−ＡＣＫメッセージを、送信サンプルカウント値(RTxSampleCnt)が０になるとき中央局送受信部１００に送信する（Ｓ３０９）。Ｒ−ＡＣＫメッセージを送信してから、意味のない信号であるＲ−ＩＤＬＥメッセージを繰り返し送信する（Ｓ３１０）。
【００４３】
Ｒ−ＩＤＬＥメッセージを受信し、中央局送受信部１００の制御部は、送信サンプルカウント(OTxSampleCnt)がＮＴ−（ＴＡ−Δ）のとき、送信サンプルカウント(OTxSampleCnt)を０に設定し、新しいサイクリックプレフィックス及びサイクリックサフィックスをそれぞれＬＣＰ＋ＴＡ０＋ＴＡ及びＬＣＳ−（ＴＡ０−ＴＡ）に設定して新しいメッセージを送信する（Ｓ３１１）。この際、遠隔送受信部２００の制御部は、送信サンプルカウント(RTxSampleCnt)が０のとき、新しいサイクリックプレフィックス及びサイクリックサフィックスをそれぞれＬＣＰ＋ＴＡ０−ＴＡ及びＬＣＳ−（ＴＡ０−ＴＡ）に設定して新しいメッセージを送信する。
【００４４】
中央局送受信部１００は、前の過程と同様に遅延サンプル数と新しいタイミングアドバーンスを計算し、新しいタイミングアドバーンスが前のタイミングアドバーンスと異なると、前記の過程を繰り返し行う。
【００４５】
こうすると、タイミングアドバーンスを、チャネルのグループディレイの測定だけで決定することができ、サイクリックサフィックスの長さを既存のタイミングアドバーンスと新しいタイミングアドバーンスとの差だけ減らすことができる。また、タイミングアドバーンスをこのように設定することにより、Ｕ２インタフェースを基準としたとき、中央局送受信部と遠隔送受信部で信号を同時に送受信することができる。
【００４６】
以上、本発明の好適な実施例について詳細に説明したが、本発明はこれらの実施例に限定されない。また、請求の範囲で定義している本発明の基本概念を用いた当業者のいろいろの変形及び改良形態も本発明の権利範囲に属するものである。
【図面の簡単な説明】
【００４７】
【図１】本発明の一実施例に係るジッパーＤＭＴ送受信システムを示すブロック図である。
【図２】本発明の一実施例に係るジッパーＤＭＴ送受信システムで使用する一シンボルのサンプル数を示す図である。
【図３Ａ】本発明の一実施例に係るタイミングアドバーンス測定方法を示す時間図である。
【図３Ｂ】本発明の一実施例に係るタイミングアドバーンス測定方法を示す時間図である。
【図３Ｃ】本発明の一実施例に係るタイミングアドバーンス測定方法を示す時間図である。
【符号の説明】
【００４８】
１００，２００  送受信部
３００  チャネル
４００，５００  Ｕ２インタフェース
ＮＳＣ  シンボルトーンの個数
【図１】
2005516531.tif 000012
【図２】
2005516531.tif 000013
【図３Ａ】
2005516531.tif 000014
【図３Ｂ】
2005516531.tif 000015
【図３Ｃ】
2005516531.tif 000016
【国際調査報告】
2005516531.tif 000017